(57)【特許請求の範囲】
【請求項１】
高圧流体を収納すると共に輸送するインフレーションチューブ、またはラミネートチューブで形成された耐熱性および柔軟性を有する流体輸送用チューブであって、
上記輸送用チューブの左右両縁には熱溶着により形成され、被着体に固定するためのシール部が形成されるとともに前記チューブ本体の表面にホットメルト接着剤が塗布されていることを特徴する流体輸送用チューブ。
【請求項２】
前記シール部には、全長に亘って複数の小孔を設けたことを特徴とする請求項１記載の流
体輸送用チューブ。
【発明の詳細な説明】
【技術分野】
【０００１】
本発明は気体や液体の流体を収納して、熱を吸収蓄積し、或いは放熱させる用途に用いられる流体輸送用チューブに関する。
【背景技術】
【０００２】
従来、この種流体輸送用チューブは、その用途に応じガラス管や銅管などのパイプが使用されており、パイプの中に液体や気体を注入して輸送されている。
また、流体を収納して熱交換システムへの展開も成されていた。
然して、これらガラス管や銅管は硬質のため熱媒体である屋根材、壁材との接触状態が点接触となり、熱吸収、或いは放熱効率が損なわれた。
また、特許文献にある、ガス管用更新管およびそれを用いたガス管の更新方法で述べられておられる更新方法に塩化ビニール管、ポリエチレン管を加熱軟化して、管本体を拡経し押し広げて既設ガス管の内面に圧接して内張りする更新方法もある。
【先行技術文献】
【特許文献】
【０００３】
【特許文献１】特開平７−２６００４２
【発明の概要】
【発明が解決しようとする課題】
【０００４】
従来、集熱や放熱及び気体や液体の輸送に用いる流体輸送用チューブに関するこの種流体輸送チューブは、ガラス管や銅管等のパイプの配管に太陽熱を直接受け、そのパイプの中に水などの媒体を注入して、熱交換システムを構築していたが、熱交換率が低く、熱の損失が大きく、家の屋根の瓦や、壁の熱を吸収して、配管して熱を回収して集熱し、蓄積し、家の暖房や冷房に循環するシステムを構築する場合、配管と瓦や壁などの熱源とが接触していないため、熱交換が効率よく行なうことができなかった。瓦や壁はいろんな凹凸、曲面をなしているので、配管と接触するように施工することは難しく、そのため瓦や壁との配管の熱交換の効率が低かった。しかし、インフレーションチューブやラミネートチューブを使用することにより凸凹や曲面をなしている被着体に接触し確実に取り付けることができると熱吸収や放熱をすることが効率よくできるが、インフレーションチューブやラミネートチューブは、柔軟性があり、いろんな面に接触させることができるが、パイプのような硬度がないため、接触面に取り付けようとしても滑り設置取り付けが難しいという問題がある。
【課題を解決するための手段】
【０００５】
本発明は、高圧流体を収納すると共に輸送するインフレーションチューブ、またはラミネートチューブで形成された耐熱性を有する柔軟性チューブ本体と、このチューブ本体に溶着してチューブ本体を被着体に固定るシール部と、このチューブ本体の表面に塗布する接着剤とで成したことを特徴する流体輸送用チューブ。
【発明の効果】
【０００６】
（１）請求項１により、インフレーションチューブ、またはラミネートチューブの耐熱性をする柔軟性チューブ本体は、溶着した固定座を用いて釘、ビス等で固定することにより、チューブ本体の柔軟性と相俟って瓦や壁などの凹凸面に対しても順応して固定できる。
チューブ本体に、高圧流体圧力を挿入圧着させることで微量な亀裂等、パイプを取り替えることなくパイプの内面に固定でき、パイプを再使用することができる。
【図面の簡単な説明】
【０００７】
【図１】流体輸送用チューブの断面図
【図２】同上の取付け使用状態図
【図３】同上の異なる取付け使用状態図
【図４】同上の更なる異なる取付け使用状態図
【発明を実施するための形態】
【０００８】
以下本発明を実施例として掲げた図面に基づいて説明すると、図１は流体輸送用チューブの断面図を示し、この柔軟性チューブ本体１は、例えばインフレーションチューブ、ラミネートチューブの耐熱性を有し、且つ柔軟性に優れた絶縁材料にて形成されている。
特に、この柔軟性チューブ本体１は、収納する液体、気体等の種類によって、耐薬品性、耐熱性に優れた材料が求められることから、インフレーションチューブ、ラミネートチューブが望まれる。    
勿論、このインフレーションチューブ、ラミネートチューブはミクロン単位のアルミ、シリカ等の箔膜、更には炭素繊維等の素材とを組み合わせて形成してもよい。
而して、この柔軟性チューブ本体１はポリプロピレン、ポリエチレン、ポリエステル等のフィルム基材をベースとして用いるものであって、勿論、これらをベースに異なる種類のフィルム樹脂やアルミ箔や銅箔等の金属を熱溶着及び、蒸着させてチューブを形成させる。更にセラミックやアルミナやアルミ金属などを真空中で加熱し、発生した蒸気をフィルムに付着させてチューブ形成させる蒸着、複数の円形ダイ金型より樹脂を押し出し、巻き取りのテンションとエアーにより任意の寸法でチューブの幅が決められ連続した筒状態をインフレーションと呼び、フィルムとフィルムを貼り合わせてそれぞれの特徴を生かし
積層し、押し出し溶融した樹脂をスリット状にフィルムに流し込み、圧着、冷却して巻き取るものやフィルムとフィルムを接着剤で貼り合わせてチューブを形成する方法をラミネートと呼び、インフレーションやラミネートに熱溶着や蒸着してチューブを形成したものがインフレーションチューブやラミネートチューブである。インフレーションチューブやラミネートチューブは、柔らかく滑りやすく、固定することが非常に難しい。
本発明は、家の屋根の瓦や、壁の熱を吸収して、配管し熱を回収して集熱し、蓄積する集熱吸収システムを構築するために必要となる。
図１    （a）は取り付ける前  （b）は取り付け後をしめす。      
（ａ）に示すように、被着体３に設置したとき、インフレーションチューブ１やラミネートチューブ１は萎んでおり、表面にホットメルト接着剤２を塗布されており冷えて固まっているのでチューブを引っ張りまわして敷設が容易にできる。また、被着体３とは離れているので、チューブと被着体とは熱交換しない。
（ｂ）は、インフレーションチューブ１やラミネートチューブ１に、溶着したシール部４に釘、ビス、ステープル５で止め、チューブ本体内に熱媒体を注入した状態を示す。熱媒体を注入するとチューブは膨張して被着体に当接する。
チューブ１の表面にコーティングしたホットメルト接着剤２は、熱媒体の熱により溶融し粘着性をしめし、チューブ１と被着体３とは接着する。これにより、チューブと被着体との熱交換が効率よく行える。熱媒体がなくなったときは、チューブと被着体との接着性は保たれ取り付けられ固定する。
【０００９】
図２は、被着体３にインフレーションチューブやラミネートチューブを設置し、固定された状態を示す。被着体３に両面テープ７を貼り付けチューブ１を置き、手やローラで押さえ取り付け、溶着されたシール部４と被着体３に片面テープ８を貼り付け固定して、チューブの表面は接着剤が塗布されており、チューブ本体内に液体や気体の熱媒体を注入し、膨張させて接着し固定した状態であり、チューブ本体内に液体や気体を輸送することができる。
【００１０】
図３は、被着体３にインフレーションチューブやラミネートチューブを設置し固定された状態を示す。チューブ１の溶着したシール部４に小孔を設け、被着体の凸部に引っ掛け、また紐で結んで取り付け、チューブ本体の表面は接着剤が塗布されており、チューブ本体内に液体や気体の熱媒体を注入し、膨張させて接着し固定した状態であり、チューブ本体内に液体や気体を輸送することができ、チューブを連結することで広大な場所に設置し集熱、保温、放熱、冷却することができる。
【００１１】
図４は、パイプの中にチューブを挿入し、チューブ本体の表面は接着剤が塗布されており、チューブ本体内に液体や気体の熱媒体を注入し、膨張させて接着し固定した状態であり、チューブ本体内に液体や気体を輸送することができる。
【産業上の利用可能性】
【００１２】
屋根の瓦や壁の集熱吸収する配管に使用することで熱効率のよい集熱吸収システムを構築できる。また、ボイラーを使用して放熱することにより家の保温及び、屋根や通路の解凍、除雪をすることができる。
【符号の説明】
【００１３】
１    インフレーションチューブ又はラミネートチューブ
２    接着剤
３    被着体  
４    シール部
５    釘、ビス、ステープル
６    紐.
７    両面テープ
８    片面テープ
９    凸部
【図１】
0005547773.tif 000002
【図２】
0005547773.tif 000003
【図３】
0005547773.tif 000004
【図４】
0005547773.tif 000005